(57)【要約】      （修正有）【課題】発熱部品を内蔵した機器等に関し、塵埃の堆積による冷却能力の低下を容易に回復することのできる構造を備えた機器及び演算装置を提供する。【解決手段】発熱部品と、発熱部品から熱を吸収して放熱する放熱部材と、放熱部材に向けて送風するファンと、発熱部品、放熱部材、およびファンを内蔵するとともに、放熱部材で温められた空気を外部に放出するための第１の開口、および放熱部材の、ファンからの送風入口部分を露出させる第２の開口を有する筐体と、筐体に着脱自在に装着されて第２の開口を覆う蓋部材２８とを備えた。【選択図】図１
2008072076.tif 000002
【特許請求の範囲】
【請求項１】
発熱部品と、
前記発熱部品から熱を吸収して放熱する放熱部材と、
前記放熱部材に向けて送風するファンと、
前記発熱部品、前記放熱部材、および前記ファンを内蔵するとともに、前記放熱部材で温められた空気を外部に放出するための第１の開口、および前記放熱部材の、前記ファンからの送風入口部分を露出させる第２の開口を有する筐体と、
前記筐体に着脱自在に装着されて前記第２の開口を覆う蓋部材とを備えたことを特徴とする機器。
【請求項２】
前記蓋部材が、前記筐体に素手での操作で着脱されるものであることを特徴とする請求項１記載の機器。
【請求項３】
前記第１の開口が前記筐体の一側面に形成され、前記第２の開口が該筐体の上面に形成されたものであることを特徴とする請求項１記載の機器。
【請求項４】
前記筐体が、前記蓋部材に覆われる部分に該蓋部材係止用の穴を有し、
前記蓋部材が、前記筐体に装着されたときに該筐体側を向く面に、前記穴に嵌入して係止される突起を有することを特徴とする請求項１記載の機器。
【請求項５】
前記筐体が、該筐体に装着された状態の前記蓋部材の該筐体側に、該蓋部材に爪又は指先を掛けるための空間を形成する凹部を有することを特徴とする請求項１記載の機器。
【請求項６】
前記蓋部材が、前記筐体の、前記第２の開口を形成する縁部分と重なるように、該第２の開口の幅よりも広幅に形成されていることを特徴とする請求項１記載の機器。
【請求項７】
前記放熱部材の、前記送風入口部分両側に、前記ファンからの送風を該送風入口部分に導くとともに、該ファンからの送風の、該放熱部材の脇への洩れを防ぐ送風案内壁を有し、
前記第２の開口が前記送風入口部分両側の送風案内壁に挟まれた内側の領域にのみ形成されるように、前記筐体の、前記第２の開口を形成する縁部分が、該送風案内壁を覆う位置まで広がっていることを特徴とする請求項１記載の機器。
【請求項８】
演算処理を行なう演算装置において、
発熱部品と、
前記発熱部品から熱を吸収して放熱する放熱部材と、
前記放熱部材に向けて送風するファンと、
前記発熱部品、前記放熱部材、および前記ファンを内蔵するとともに、入力操作用のキーが配列されたキーボードを上面に備え、前記放熱部材で温められた空気を外部に放出するための第１の開口が一側面に形成され、前記放熱部材の、前記ファンからの送風入口部分を露出させる第２の開口が上面に形成されてなる筐体と、
前記筐体に着脱自在に装着されて前記第２の開口を覆う蓋部材とを備えたことを特徴とする演算装置。
【請求項９】
前記第１の開口が、前記筐体の、奥を向いた側面に形成され、前記第２の開口が、前記筐体上面の、前記キーボードよりも奥の位置に形成されたものであることを特徴とする請求項８記載の演算装置。
【請求項１０】
前記蓋部材が、前記筐体に素手での操作で着脱されるものであることを特徴とする請求項８記載の演算装置。
【発明の詳細な説明】
【技術分野】
【０００１】
本発明は、発熱部品を内蔵した機器、および発熱部品を内蔵し演算処理を行なう演算装置に関する。
【背景技術】
【０００２】
使用中に発熱する発熱部品を内蔵した様々な機器が存在する。それらの機器の中には、その発熱部品を発熱させることでその機器本来の用をなす機器もあるが、発熱が好ましくなく、使用することにより止むを得ず発熱してしまう発熱部品を内蔵した機器もあり、そのような機器の場合、その発熱部品の発熱による温度上昇を抑えるための工夫が施されている。例えば、特許文献１，２には、パワートランジスタにより生じる熱を放熱部材やヒートシンクを介して放熱する構造が示されており、特許文献３には、ハードディスクドライブに備えられたボイスコイルモータで生じる熱を、放熱フィンで、そのハードディスクドライブの筐体に伝導させる構造が示されている。
【０００３】
また、ファンを備え、空気流を生じさせることで発熱部品を空冷することも広く行なわれている、例えば特許文献４には、発熱部品で生じた熱をヒートパイプを介して放熱フィンに伝え、ファンを回転させてその放熱フィンに風を当て、その放熱フィンの隙き間を通る間にその放熱フィンから熱を奪って温められた空気を装置外部に排出する構造が示されている。
【特許文献１】特開２００２−２１７３４３号公報
【特許文献２】実開平５−５５５９１号公報
【特許文献３】特開２００６−１３５０７３号公報
【特許文献４】特開２００５−３２１２８７号公報
【発明の開示】
【発明が解決しようとする課題】
【０００４】
特許文献４に示されるような、発熱部品の熱を放熱フィンに伝え、ファンからの風をその放熱フィンに当てて放熱フィンを経由した空気を外部に排出する構造は、発熱部品の温度上昇を効果的に抑えることができ、広く採用されている。
【０００５】
しかしながら、この構造の場合、ファンから送られてきた空気が、放熱フィンの、ファンからの送風入口部分で放熱フィンに当たるため、その送風入口部分に塵埃が堆積し易く、塵埃がその部分に堆積すると空気の流れが悪化し、冷却能力の低下を招き、冷却対象の発熱部品の温度上昇が激しくなり、正常な動作を行うことができなくなったり、その発熱部品の周囲も温度が上昇するためその発熱部品やその周囲の部品の寿命の低下を招くという問題がある。また、そのような重大な不良が生じなくても、ファンの回転数を変化させて冷却能力を調節する構成の場合、冷却能力を維持しようとしてファンの回転数が上昇し、ファンによる騒音が増大するという問題もある。
【０００６】
上記の特許文献４では、放熱フィンの送風入口部分が塵埃の堆積を抑えるための工夫として、放熱フィンの送風入口部分に傾斜部を形成し、ファンからの風に乗った塵埃がその送風入口部分には停まらずにその傾斜部に沿って移動して装置外部に排出されることを期待している。
【０００７】
この傾斜部を設けるという工夫も塵埃の堆積を抑えるための１つの工夫であるとは考えられるが、塵埃の堆積速度が多少遅くなる程度であって本質的な解決方法ではない。
【０００８】
また、このような、放熱部材やファンは、装置内部に組み込まれており、放熱フィンを通ってきた空気の排出口のみ外部に覗いており、一方塵埃の堆積は放熱フィンの排出口側ではなく、反対側の送風入口部分で生じるため、そこに堆積した塵埃を取り除くには装置を分解掃除する必要があり、容易には行ない得ない。
【０００９】
本発明は、上記事情に鑑み、塵埃の堆積による冷却能力の低下を容易に回復することのできる構造を備えた機器および演算装置を提供することを目的とする。
【課題を解決するための手段】
【００１０】
上記目的を達成する本発明の機器は、
発熱部品と、
発熱部品から熱を吸収して放熱する放熱部材と、
放熱部材に向けて送風するファンと、
発熱部品、放熱部材、およびファンを内蔵するとともに、放熱部材で温められた空気を外部に放出するための第１の開口、および放熱部材の、ファンからの送風入口部分を露出させる第２の開口を有する筐体と、
筐体に着脱自在に装着されて第２の開口を覆う蓋部材とを備えたことを特徴とする。
【００１１】
本発明の機器は、放熱部材の、ファンからの送風入口部分を露出させる第２の開口を有し、その第２の開口を着脱自在に覆う蓋部材を備えたものであるため、その送風入口部分の掃除が容易となり、その部分に塵埃が堆積して冷却能力が低下した場合に、その冷却能力を容易に回復することができる。
【００１２】
ここで、本発明の機器において、上記蓋部材が、筐体に素手での操作で着脱されるものであることが好ましい。
【００１３】
蓋部材を、素手での操作で着脱できるように構成することによって、上記の送風入口部分の掃除が一層容易となる。
【００１４】
また、本発明の機器において、上記第１の開口が筐体の一側面に形成され、上記第２の開口が筐体の上面に形成されたものであることことが好ましい。
【００１５】
放熱部材により温められた空気の排出口である第１の開口は、その機器の操作の邪魔にならないように側面（好ましくは奥側を向いた側面）に形成されていることが好ましく、上記の送風入口部分の掃除用の第２の開口は、掃除のし易い、上面に形成されていることが好ましい。
【００１６】
また、本発明の機器において、上記筐体が、蓋部材に覆われる部分に、蓋部材係止用の穴を有し、上記蓋部材が、筐体に装着されたときに筐体側を向く面に、上記穴に嵌入して係止される突起を有することが好ましい。
【００１７】
このような構造を採用すると蓋部材を筐体に容易に着脱することができる。
【００１８】
さらに、本発明の機器において、上記筐体が、その筐体に装着された状態の蓋部材の筐体側に、その蓋部材に爪又は指先を掛けるための空間を形成する凹部を有することも好ましい構成である。
【００１９】
さらに凹部を形成すると、蓋部材の取り外しが一層容易となる。
【００２０】
また、本発明の機器において、上記蓋部材が、筐体の、第２の開口を形成する縁部分と重なるように、その第２の開口の幅よりも広幅に形成されていることが好ましい。
【００２１】
蓋部材を第２の開口の縁部分と重なるように広幅に形成すると、ファンからの送風の、第２の開口と蓋部材との間からの洩れが防止され、また、蓋部材の縁から第２の開口を通って機器内部に物が入り込んでしまうことが防止される。
【００２２】
さらに、本発明の機器において上記放熱部材の、送風入口部分両側に、ファンからの送風をその送風入口部分に導くとともに、ファンからの送風の、放熱部材の脇への洩れを防ぐ送風案内壁を有し、上記第２の開口が送風入口部分両側の送風案内壁に挟まれた内側の領域にのみ形成されるように、上記筐体の、第２の開口を形成する縁部分が、送風案内壁を覆う位置まで広がっていることが好ましい。
【００２３】
上記第２の開口が送風案内壁の内側の領域にのみ形成することにより、ファンからの送風が送風案内壁と蓋部材との間の隙き間を通って機器内部に洩れ出してしまうことが防止され、空冷の一層の効率化が実現でき、また、送風により運ばれた塵埃が機器内部に再び運ばれてしまうのが防止される。
【００２４】
また、上記目的を達成するための本発明の演算装置は、演算処理を行なう演算装置において、
発熱部品と、
前記発熱部品から熱を吸収して放熱する放熱部材と、
放熱部材に向けて送風するファンと、
発熱部品、放熱部材、およびファンを内蔵するとともに、入力操作用のキーが配列されたキーボードを上面に備え、放熱部材で温められた空気を外部に放出するための第１の開口が一側面に形成され、放熱フィンの、ファンからの送風入口部分を露出させる第２の開口が上面に形成されてなる筐体と、
筐体に着脱自在に装着されて上記第２の開口を覆う蓋部材とを備えたことを特徴とする
ここで、本発明の演算装置において、上記第１の開口が、筐体の、奥を向いた側面に形成され、上記第２の開口が、筐体上面の、キーボードよりも奥の位置に形成されたものであることが好ましい。
【００２５】
本発明の演算装置は、放熱部材により温められた空気を外部に放出する排気口である第１の開口が一側面（好ましくは奥を向いた側面）に形成され、掃除用の第２の開口が上面（好ましくは、上面のキーボードよりも奥の位置）に形成されており、第１の開口から排気された温風がユーザに当たることが回避され、また、第２の開口を覆う蓋部材を取り外しての掃除が容易である。
【００２６】
また、本発明の演算装置においても、本発明の機器と同様、上記蓋部材が、筐体に素手での操作で着脱されるものであることが好ましい。
【００２７】
さらに、本発明の演算装置において、上記ファンの少なくとも一部がキーボードの下に配置され、上記放熱部材がキーボードよりも奥に配置されたものであり、その放熱部材上面がファン上面よりも高い位置に置かれたものであることが好ましく、その場合に、上記ファンの上面および上記放熱部材の上面に広がり、放熱部材上面を覆う部分がその放熱部材の高さに合わせて盛り上がって形成された金属板を有し、キーボードが金属板の上に配置されていることがさらに好ましい。
【００２８】
放熱部材上面をファン上面よりも高い位置に置くことにより、蓋部材を取り外して送風入口部分を露出させたときに、その送風入口部分がかなり上側に位置し、掃除のし易さが確保される。またファン上面が放熱部材上面よりも下がっているため、その上に金属板を置いて台とし、ファンの上にキーボードを配置することができる。また、その金属板により、例えばその金属板の下に回路部品を配置してその金属板により必要な電磁シールドを施すことができる。さらに、その金属板は、高さの高い放熱部材上面を覆うようにその部分が盛り上がって形成されており、その部分での連続性を断ち切ることなく強度を保ち、また電磁シールドの有効性が高められる。
【００２９】
また、本発明の演算装置においても、本発明の機器と同様、上記筐体が、蓋部材に覆われる部分に蓋部材係止用の穴を有し、上記蓋部材が、筐体に装着されたときに筐体側を向く面に、上記の穴に嵌入して係止される突起を有することが好ましく、また、上記筐体が、その筐体に装着された状態の蓋部材の下に、その蓋部材に爪又は指先を掛けるための空間を形成する凹部を有することが好ましい。
【００３０】
本発明は、例えばいわゆるノート型パーソナルコンピュータ等、画像を表示する表示画面を有し上記筐体の奥側においてその筐体にヒンジ接続されてその筐体に対し開閉自在な第２の筐体を備えた演算装置に好適に適用することができる。
【００３１】
また、本発明の演算装置において、上記蓋部材が、筐体の、上記第２の開口を形成する縁部分と重なるように、その第２の開口の幅よりも広幅に形成されていることが好ましい。
【００３２】
さらに、本発明の演算装置において、上記放熱部材の、送風入口部分両側に、ファンからの送風をその送風入口部分に導くとともに、ファンからの送風の、放熱部材の脇への洩れを防ぐ送風案内壁を有し、上記第２の開口が送風入口部分両側の送風案内壁に挟まれた内側の領域にのみ形成されるように、上記筐体の、上記第２の開口を形成する縁部分が、送風案内壁を覆う位置まで広がっていることが好ましい。
【発明の効果】
【００３３】
以上の説明のとおり、本発明によれば、塵埃の堆積による冷却能力の低下を容易に回復することができる。
【発明を実施するための最良の形態】
【００３４】
以下、本発明の一実施形態であるノート型パーソナルコンピュータ（ノートＰＣ）について説明する。このノートＰＣは、発熱部品を内蔵した機器であり、発熱部品を内蔵し演算処理を行なう演算装置である。
［全体構成］
図１は、閉状態にあるノートＰＣの斜視図、図２は閉状態にあるノートＰＣを前方斜めから見た斜視図、図３は、閉状態にあるノートＰＣを後方斜めから見た斜視図である。
【００３５】
このノートＰＣ１０は、本体ユニット２０と表示ユニット３０とから構成されており、表示ユニット３０は、本体ユニット２０の奥側で、ヒンジ機構４０により、本体ユニット２０に開閉自在にヒンジ接続されている。
【００３６】
本体ユニット２０は、その筐体の内部に、ＣＰＵやその他の回路部品、ハードディスクを内蔵したハードディスクドライブユニット、ＣＤやＤＶＤが取出し自在に装填されてアクセスされるディスクドライブユニット、ＰＣカードが挿入されてアクセスされるＰＣカードスロット、様々なタイプのメモリカードが挿入されてアクセスされるメモリカードスロット、および、その他の様々な部品が備えられている。
【００３７】
また、この本体ユニットの上面には、キーボード２１、タッチパッド２２、タッチパッド用の左右の押ボタン２２ａ，２２ｂ、それらの押ボタン２２ａ，２２ｂの中央に置かれた指紋センサ２３、右手奥に配置された電源ボタン２４、複数の表示ランプ２５、複数のファンクションボタン２６等が配置されている。
【００３８】
また、この本体ユニット２０の上面の手前側の左右中央には、表示ユニット３０を閉じたときのロック用の穴２７が設けられている。この穴２７には、表示ユニット３０を本体ユニット２０の上に閉じたときに、表示ユニット３０に設けられているロック爪３１が入り込み、表示ユニット３０が本体ユニット２０から不用意には開かないようにロックされる。このロックは、表示ユニット３０に設けられたロック解除ボタン３２を押すことによって外れ、表示ユニット３０をそのまま手で持ち上げて開くことができる。また、本体ユニット２０の上面のキーボード２１の直ぐ奥には、左右に細長い蓋部材２８が備えられている。この蓋部材２８の詳細については後述する。
【００３９】
表示ユニット３０には、上述したロック爪３１やロック解除ボタン３２の他、閉時に本体ユニット２０側を向く内側の面に表示画面３３が備えられており、本体ユニット２０内のＣＰＵからの指示に応じてその表示画面上に様々な画像が表示される。
【００４０】
ヒンジ機構４０は、表示ユニット３０を本体ユニット２０に対し開閉自在に軸支するものであり、表示ユニット３０が任意の開き角度に保持されるようにフリクションで支持している。
【００４１】
図４は、図１〜図３に示すノートＰＣの、閉状態における手前側の側面を示した図である。
【００４２】
本体ユニット２０の手前側の側面には、この図４に示すように、左右に内部のスピーカからの音を外部に出力するための放音口２０１ａ，２０１ｂが形成されており、さらにマイクロホンのジャックが接続されるマイクロホン接続口２０２、ヘッドホンのジャックが接続されるヘッドホン接続口２０３、および無線ＬＡＮ機能のオン／オフスイッチ２０４が備えられている。
【００４３】
図５は、図１〜図３に示すノートＰＣの、閉状態における奥側の側面を示した図である。
【００４４】
本体ユニット２０の奥側の側面には、この図５に示すように、この図５の右側から順に、ＭＯＤＥＭ回線接続口２０５、外部モニタ用の接続コネクタ２０６、後述する本体ユニット２０内のファンからの送風の排気口２０７、ビデオ出力端子２０８、ＬＡＮ接続端子２０９、２つのＵＳＢ接続端子２１０ａ，２１０ｂ、および盗難防止用のワイヤを接続するためのロック孔２１１が設けられている。
【００４５】
ここで、排気口２０７の奥には、後述する放熱部材２４０（図１１参照）の放熱フィン２４１が覗いている。
【００４６】
図６は、図１〜図３に示すノートＰＣの、閉状態における右側の側面を示す図である。
【００４７】
本体ユニット２０の右側面には、この図６に示すように、ＡＣアダプタ（図示せず）からの電源ケーブル接続用の電源ケーブル接続口２１２、ＩＥＥＥ１３９４接続端子２１３、ＵＳＢ接続端子２１４、複数種類（ここでは４種類）の記録メディアの挿入が可能なメディア挿入口２１５、および、ＰＣカードが挿入されるＰＣカード挿入口２１６が設けられている。後述のように、このＰＣカード挿入口２１６の内側の本体ユニット２０には上下に２枚のＰＣカードを収容可能なＰＣカードスロットが設けられており、このＰＣカード挿入口２１６には、この各スロットに対応した上下２枚の蓋部材２１７，２１８が設けられている。これらの蓋部材２１７，２１８は、このＰＣカード挿入口２１６からＰＣカードが挿入されていないときは図６に示すように閉じた状態となるように本体ユニット２０の筐体内部からバネ付勢されており、上側のＰＣカードスロットにＰＣカードが差し込まれると、そのＰＣカードの先端に押されて、２枚の蓋部材２１７，２１８のうちの上側の蓋部材２１７は、上縁２１７ａを中心に上に持ち上がるように回動し、また、下側のＰＣカードスロットにＰＣカードが差し込まれると、そのＰＣカードの先端に押されて、下側の蓋部材２１８は、下縁２１８ａを中心に下に倒れるように回動してＰＣカード挿入口２１６を開く構造となっている。また、このＰＣカード挿入口２１６の横には、このＰＣカード挿入口２１６から挿入されたＰＣカードを抜くときに押されるイジェクトボタン２１９が配置されている。
【００４８】
図７は、図１〜図３に示すノートＰＣの、閉状態の左側の側面を示す図である。
【００４９】
本体ユニット２０の左側面には、この図７に示すように、ＣＤやＤＶＤが装填されてアクセスされるディスクドライブユニット２２０の端面が配置されている。イジェクトボタン２２１を押すと、本体ユニット２０の筐体内部からＣＤやＤＶＤを載せるためのトレイが飛出し、そのトレイの上にＣＤ又はＤＶＤを載せてそのトレイを押し込む。こうすることによりそのＣＤ又はＤＶＤがアクセスされる。トレイ上に載せたＣＤやＤＶＤを取り出すときも同様である。
【００５０】
この本体ユニット２０の筐体には、そのディスクドライブユニット２２０の端面と同一形状の開口が形成されており、メンテナンス時には、工具を使ってこのディスクドライブユニット２２０の全体を本体ユニット２０の筐体内部から抜き出すことができ、再挿入することができる。
【００５１】
以上はノートＰＣ全体の概要説明であり、以下ではこのノートＰＣの各部の詳細について説明する。
［放熱フィンの送風入口部分の構造］
図８は、ノートＰＣの本体ユニットの上面を、蓋部材を外して示した図、図９は、本体ユニット上面のキーボードの直ぐ奥側を示した拡大図である。
【００５２】
図１に示したように、本体ユニット２０上面のキーボード２１の直ぐ奥には、左右に長い蓋部材２８が備えられており、図８に示すようにその蓋部材２８を開けると、そこに本体ユニット２０の筐体に設けられた開口２３１があらわれ、その開口２３１内には、放熱部材２４０（図１１参照）の放熱フィン２４１の送風入口部分２４１ａがあらわれる。放熱部材２４０の詳細説明は後に譲るが、この放熱フィン２４１の送風入口部分２４１ａには、ファン２５０（図１０参照）からの送風が当たり塵埃が堆積し易い。その部分に塵埃が堆積するとファン２５０からの送風の流れが悪くなり冷却能力が下がり、本体ユニット２０の筐体内部が高温となり、動作不良の原因や部品の故障の原因となる。そこで、このノートＰＣ１０では、蓋部材２８を外すと、そこに、その放熱フィン２４１の送風入口部分２４１ａを覗かせる開口２３１があらわれ、その送風入口部分２４１ａに堆積した塵埃を容易に取り除くことができる。放熱フィン２４１の送風入口部分２４１ａを覗かせている開口２３１を塞ぐ蓋部材２８は、図９にその裏面を示すように、左右の両端に位置決め用の爪２８１，２８２が形成され、中央部分３箇所にロック用の爪２８３，２８４，２８５が形成されている。
【００５３】
これらの爪２８１〜２８５のうちの位置決め用の爪２８１，２８２は、本体ユニット２０の筐体に設けられた位置決め用の穴２３２，２３３に嵌入し、ロック用の爪２８３〜２８５は、それぞれ、本体ユニット２０の筐体に設けられたロック用の穴２３４〜２３６にそれぞれ入り込み、これにより蓋部材２８が開口２３１を塞いだ状態に取り付けられる。
【００５４】
また、本体ユニット２０の筐体には、蓋部材２８を取り付けたときのその蓋部材２８の筐体側に爪又は指先を掛けるための空間を形成する凹部２３７が形成されており、その凹部２３７を利用して蓋部材２８の下に爪又は指先を掛けて持ち上げることにより、この蓋部材２８を容易に取り外すことができる。
【００５５】
図１０は、本体ユニットの筐体の上カバーおよびキーボードを取り外して、ファンおよび放熱部材の部分を示した図、図１１は、図１０と同一の状態の本体ユニットの放熱部材の部分を図１０とは角度を変えて示した図である。
【００５６】
ファン２５０の囲りには、様々な多数の回路部品が搭載されたメイン基板２５１が広がっており、ファン２５０および回路基板２５１の上には、いくつかの開口が形成された金属板２５２が広がっている。また、この金属板２５２は、放熱部材２４０の上にも広がっている。ただし、この放熱部材２４０はその上面がファン２５０の上面よりも高い位置にあり、このため、この金属板２５２の放熱部材２４０の上面の覆う部分２５２ａは、放熱部材２４０の高さに合わせて盛り上がった形状となっている。
【００５７】
この金属板２５２は、その下の回路基板に対する電磁シールドの役割りを成すとともにこの上に置かれるキーボード２１（図１参照）の台としての役割も担っている。
【００５８】
図１２は、さらに金属板を取り外し、ファンと放熱部材の平面的な位置関係を示した図である。
【００５９】
放熱部材２４１の下には、ＣＰＵと称されるＬＳＩと、チップセットと称されるＬＳＩとの２つの大きなＬＳＩが配置されており、この放熱部材２４１はそれら２つのＬＳＩで発生する熱の放熱を担っている。この点についての詳細は後述する。
【００６０】
ファン２５０からの風は、放熱部材２４０に設けられた放熱フィン２４１にその送風入口部分２４１ａから送り込まれ、この放熱フィン２４１の間を通過する間に放熱フィン２４１の熱を奪って温められ、本体ユニット２０の筐体の、奥側の側面に設けられた開口２０７（図５を合わせて参照）から装置外部に排気される。
［放熱部材の構造］
図１３は、放熱部材の平面図、図１４は、放熱部材の斜視図である。
【００６１】
この放熱部材２４０は、水平に広がるベース部（以下、ベース板とする）２４２と、そのベース板２４２に固定されてそのベース板２４２上に立設した多数枚の放熱フィン２４１と、ベース板２４２の左右に両側に水平に広がる一対のアーム部（以下、アーム板とする）２４３，２４４を有する。これら２つのアーム板２４３，２４４それぞれの手前側および奥側には、この放熱部材２４０をネジ止めにより固定するための締結部２４３ａ，２４３ｂ；２４４ａ，２４４ｂが設けられている。また、この放熱部材２４０は、放熱フィン２４１の上部および両側部に広がる固定部（以下、固定板とする）２４５を備えており、一対のアーム板２４３，２４４は、その固定板２４５の延長上に形成されている。
【００６２】
この放熱部材２４０は、放熱フィン２４１の各フィンの下部にはんだが塗られた状態でベース板２４２の上面に各フィンが並べられてそれぞれ搭載され、各フィンの上部にはんだが塗られた状態で放熱フィン２４１及びベース板２４２が固定板２４５に取り付けられた後に、炉によってはんだ接合が行われて製造される。
【００６３】
なお、締結部２４３ａ，２４３ｂ；２４４ａ，２４４ｂはそれぞれバネを内蔵した固定台座となっており、ネジ止めの際に放熱部材２４０がバネにより発熱部品に押しつけられる構造となっている。このような固定台座の構造は公知であるため詳細な説明は省略する。
【００６４】
図１５は、メイン基板上の発熱部品を示した図である。
【００６５】
ここには、図１４に示す放熱部材２４０によって冷却される２つの発熱部品である、ＣＰＵ２５３ａと、そのＣＰＵ２５３ａに近接配置されたチップセット２５４ａが示されている。これらＣＰＵ２５３ａとチップセット２５４ａとの２つの発熱部品のうち、ＣＰＵ２５３ａの方がチップセット２５４ａよりも発熱量が多く、したがってＣＰＵ２５３ａは放熱部材２４０によってより効率的に放熱されるようにベース板２４２の下に置かれ、そのＣＰＵ２５３ａでの発熱はベース板２４２を介して放熱フィン２４１の下側からその放熱フィン２４１に伝熱される。一方、チップセット２５４ａは、左右両側のアーム板２４３，２４４のうちの一方のアーム板（ここではアーム板２４３）の下に置かれ、そのチップセット２５４ａでの発熱はアーム板２４３、固定板２４５を経由して放熱フィン２４１の上側からその放熱フィン２４１に伝熱される。
【００６６】
図１６は、ＣＰＵおよびチップセットからなる２つの発熱部品と、それらの発熱部品の上に接触する放熱部材の下面を示した図である。
【００６７】
放熱部材２４０は、ＣＰＵ２５３ａとチップセット２５４ａの上に、伝熱性のグリスを挟んで密着するように配置され、一対のアーム板２４３，２４４に備えられた各２つずつの締結部２４３ａ，２４３ｂ；２４４ａ，２４４ｂがメイン基板２５１上の４つのネジ穴２５１ａ，２５１ｂ，２５１ｃ，２５１ｄに重ねられてネジ止めされるが、そのときに、ＣＰＵ２５３ａの中央ａが放熱部材２４０のベース板２４２のほぼ中央ａ′に密着し、チップセット２５４ａの中央ｂが、一方のアーム板２４３の、部分的に下に凸の段差を持つ部分２４３ｃの中央ｂ′に密着する。アーム部材２４３の段差については後述する。
【００６８】
図１７は、図１５、図１６に示す例と比べＣＰＵとチップセットの配置が異なる別のメイン基板を示す図である。
【００６９】
ここで説明しているノートＰＣ１０（図１参照）には、ＣＰＵおよびチップセットのメーカが異なる２種類のノートＰＣが存在し、図１５、図１６は２種類のノートＰＣのうちの１種類のノートＰＣのメイン基板上のＣＰＵ２５３ａとチップセット２５４ａの配置位置を示しており、この図１７は、もう１種類のノートＰＣのメイン基板上のＣＰＵ２５３ｂとチップセット２５４ｂの配置位置を示している。
【００７０】
この図１７に示すＣＰＵ２５３ｂおよびチップセット２５４ｂは、図１５、図１６に示すＣＰＵ２５３ａおよびチップセット２５４ａと比べ、それらの配置位置がおおむね入れ替わった位置関係にある。
【００７１】
図１８は、図１７に示す種類のノートＰＣにおける、ＣＰＵとチップセットからなる２つの発熱部品と、それらの発熱部品の上に接触する放熱部材の下面を示した図である。
【００７２】
放熱部材２４０は、図１６に示す、先に説明した種類のノートＰＣの場合と同様、ＣＰＵ２５３ｂとチップセット２５４ｂの上に伝熱性のグリスを挟んで密着するように配置され、一対のアーム板２４３，２４４に備えられた各２つずつの締結部２４３ａ，２４３ｂ；２４４ａ，２４４ｂがメイン基板２５１上の４つのネジ穴２５１ａ，２５１ｂ，２５１ｃ，２５１ｄに重ねられてネジ止めされるが、そのときに、ＣＰＵ２５３ｂの中央ｃが放熱部材２４０のベース板２４２のほぼ中央ｃ′に密着し、チップセット２５４ｂの中央ｄが、一方のアーム板２４４の中央ｄ′に密着する。
【００７３】
ここで、図１６に示す第１の種類のノートＰＣにおけるＣＰＵ２５３ａの高さを基準としたときの、その第１の種類のノートＰＣにおけるチップセット２５４ａの高さと、図１８に示す第２の種類のノートＰＣにおけるＣＰＵ２５３ｂの高さを基準としたときのその第２の種類のノートＰＣにおけるチップセット２５４ｂの高さが異なっており、放熱部材２４３を構成するアーム板２４３の、下に凸の段差を持つ部分２４３ｃは、いずれのチップセット２５４ａ，２５４ｂについても密着するように、これらのチップセット２５４ａ，２５４ｂの高さの相違を吸収するために設けられたものである。
【００７４】
このようにして、本発明の実施形態では、２種類のノートＰＣにおけるＣＰＵ２５３ａと２５３ｂの高さの相違を締結部２４３ａ，２４３ｂ；２４４ａ，２４４ｂに設けられたバネの伸縮量により吸収し、その状態でのチップセット２５４ａ，２５４ｂの高さの相違をアーム板２４３の形状により吸収するよう構成している。
【００７５】
こうすることにより、２つの種類のノートＰＣのメイン基板２５１上の、ＣＰＵ２５３ａ，２５３ｂの高さと４つのネジ穴２５１ａ，２５１ｂ，２５１ｃ，２５１ｄの位置を合わせておき、同一形状の放熱部材２４０を、それら２種類のノートＰＣのいずれにも採用することができる。
［ハードディスクドライブユニット装着部の構造］
図１９は、ノートＰＣの本体ユニット２０の底面を示した斜視図である。
【００７６】
ここには、ハードディスクドライブユニット装着用の開口を塞ぐ蓋部材２６１、バッテリ装填用の開口を塞ぐ蓋部材２６２、および、メモリカード装着用の開口を塞ぐ蓋部材２６３が示されている。
【００７７】
図２０は、図１９に示すノートＰＣの本体ユニットの底面を、ハードディスクドライブユニット装着用の開口を塞ぐ蓋部材２６１を取り外して示した図である。
【００７８】
ここには、本体ユニット２０の底面の、ハードディスクドライブユニット２７０を収容するための開口２６５が形成されており、その開口２６５内にはハードディスクドライブユニット２７０が収容されている。
【００７９】
図２１は、ハードディスクドライブユニットを収容する開口、およびその開口内に収容されたハードディスクドライブユニットを示す拡大図である。
【００８０】
このハードディスクドライブユニット２７０を開口２６５から取り出すには、２つのネジ２６４ａ，２６４ｂを外してシート２７１を矢印Ａ方向に引くことにより、後述するコネクタの結合が外れ、このハードディスクドライブユニット２７０をこの開口２６５から取り出すことができる。ハードディスクドライブユニット２７０をこの開口２６５に収容するには、このハードディスクドライブユニット２７０を、開口２６５内の、図２１に示す位置よりも矢印Ａ方向に少しずれた位置に置き、そのハードディスクドライブユニット２７０を矢印Ａとは反対の向きに押すことにより後述するコネクタが結合し、さらに２本のネジ２６４ａ，２６４ｂでネジ止めすることにより、ハードディスクドライブユニット２７０が開口２６５内に正しく収容される。
【００８１】
ここで、この開口２６５には、その左右から開口２６５内に突出した一対の突起部２６６ａ，２６６ｂを有し、ハードディスクドライブユニット２７０の後ろ（ユニット側コネクタの反対側の端部）が斜めに持ち上がった状態、あるいはハードディスクドライブユニット２７０の全体が浮き上がった状態のままコネクタを結合させようとすると、ハードディスクドライブユニット２７０がそれらの突起部２６６ａ，２６６ｂに干渉し、コネクタの誤結合やコネクタピンの折れ曲がり等の不具合の発生が防止される。詳細は後述する。また、この開口２６５の両側には、さらに別の突起部２６７ａ，２６７ｂ；２６８ａ，２６８ｂも存在するが、それらの突起部２６７ａ，２６７ｂ；２６８ａ，２６８ｂは、この開口２６５を覆う蓋部材２６１（図１９、図３１参照）を係止するための突起部である。
【００８２】
図２２〜図２４は、ハードディスクドライブユニットをそれぞれ別々の角度から見て示す図、図２５は、ハードディスクドライブユニットに備えられたユニット側コネクタの斜視図である。
【００８３】
このハードディスクドライブユニット２７０には、金属製の枠体２７２が備えられており、この枠体２７２は、その左右に折れ曲がった部分でハードディスクドライブ本体にネジ止めされている。この金属製の枠体２７２は、このハードディスクドライブユニット２７０の強度を保つ役割りのほか、内部のハードディスクおよび磁気ヘッドに対する電磁シールドの役割りを担っている。この枠体２７２に設けられた多数の孔は、軽量化のためであり、強度およびシールド性を損なわない範囲で軽量化が図られている。
【００８４】
またこの金属製の枠体２７２にはもう１つの役割りがあり、このハードディスクドライブユニット２７０が上述したような正しくない姿勢でコネクタ結合が行なわれようとしたときに、図２１に示す、開口２６５に突出した突起部２６６ａ，２６６ｂに干渉する干渉部２７２ａ，２７２ｂが設けられている。
【００８５】
また、このハードディスクドライブユニット２７０の先端には、ユニット側コネクタ２７３が備えられている。このユニット側コネクタ２７３には、図２５に示すように、上下２段に配列された多数の接続ピン２７３ａが備えられている。
【００８６】
図２６は、ハードディスクドライブユニットに備えられたユニット側コネクタと結合する装置側コネクタを示す図である。
【００８７】
ハードディスクドライブユニット２７０に備えられたユニット側コネクタ２７３に多数の接続ピン２７３ａが上下２段に並んでいることに対応して、装置側コネクタ２６９には、ユニット側コネクタ２７３に上下２段に配列された接続ピン２７３ａがそれぞれ挿入される、上下２段に配列された多数のピン挿入口２６９が形成されている。
【００８８】
図２７は、ハードディスクドライブユニットが収容される開口の一方の側面を示した斜視図である。
【００８９】
ここには、前述した突起部２６６ａが備えられている。この突起部２６６ａの下は、ハードディスクドライブユニット２７０の金属製の枠体２７２（図２２参照）がその突起部２６６ａの下を通過できるようになっている。この開口２６５のもう一方の側面に設けられた突起部２６６ｂ（図２１参照）も同様である。
【００９０】
図２８、図２９は、ハードディスクドライブユニットを開口に収容しようとしてそのハードディスクドライブを開口内に正しく配置した状態を示した図である。
【００９１】
ハードディスクドライブユニット２７０は、開口２６５内の、図２８、図２９に示す位置に置かれ、その後矢印Ｂ方向に押されてユニット側コネクタ２７３と装置側コネクタ２６９が結合する。ここでは、ハードディスクドライブユニット２７０は、正規の位置に正しく置かれているため、そのハードディスクドライブユニット２７０の金属製の枠体２７２に設けられた干渉部２７２ａ，２７２ｂは、開口２６５内に突出した突起部２６６ａ，２６６ｂには干渉せずに、突起部２６６ａ，２６６ｂの下を通過する。
【００９２】
図３０は、ハードディスクドライブユニットの後ろが持ち上がった状態で開口に配置された様子を示す図である。
【００９３】
この場合、ハードディスクドライブユニット２７０を、この図３０に示す姿勢のまま、コネクタ２６９，２７３を結合させようとして矢印Ｂ方向に動かそうとすると、突起部２６６ａ，２６６ｂに干渉部２７２ａ，２７２ｂが衝突し、コネクタ２６９，２７３を結合させることができず、無理な姿勢による結合により接続されることによる、接続ピン２７３ａの折れ曲がり等の事故が防止される。
【００９４】
この図３０には、ハードディスクドライブユニット２７０の後ろが持ち上がって斜めになっている状態を示したが、ハードディスクドライブユニット２７０の全体が水平に浮いた状態にある場合も同様であり、ユニット側コネクタ２７３の、上下２段に配列された接続ピン２７３ａのうちの下段に配列された接続ピンが、装置側コネクタ２６９の上下２段に配列されたピン挿入口２６９ａ（図２７参照）のうちの上段のピン挿入口に挿入されてしまうという状態も発生しうる。このような状態では、干渉部２７２ａ，２７２ｂが突起部２６６ａ，２６６ｂの上に位置することになり、ハードディスクドライブユニット２７０を開口２６５内に収容することができず、その開口２６５を覆う蓋２６１（図１９参照）を取り付けることができず、ハードディスクドライブユニット２７０が正しく収容されていないことが一目で分かることになる。よって、このような誤結合も防止される。また、ハードディスクドライブユニット２７０が、干渉部２７２ａ，２７２ｂが突起部２６６ａ，２６６ｂの上を通過するほどに斜めに傾いた状態では、無理矢理に力を加えれば下段の接続ピン２７３ａが上段のピン挿入口に入り込むことも有り得るが、その場合も同様に、干渉部２７２ａ，２７２ｂが突起部２６６ａ，２６６ｂの上に位置することになり、ハードディスクドライブユニット２７０を開口２６５内に収容することができず、その開口２６５を覆う蓋２６１（図１９参照）を取り付けることができず、ハードディスクドライブユニット２７０が正しく収容されていないことが一目で分かることになる。
【００９５】
さらに、ハードディスクドライブユニット２７０が開口２６５内に正しく収容されているときは、干渉部２７２ａ，２７２ｂは突起部２６６ａ，２６６ｂの下に位置しており、したがってそのハードディスクドライブユニット２７０をその開口２６５から取り出すときにも、コネクタ２６９，２７３の結合を外すよりも前に後ろ側を持ち上げることはできず、ユニット側コネクタ２７３が装置側コネクタ２６９から正しい姿勢で引き抜かれる。
【００９６】
図３１は、ハードディスクドライブユニットが収容される開口を塞ぐ蓋部材の裏面を示す図である。
【００９７】
この蓋部材２６１の裏面には、開口２６５（図２１参照）の奥側に入り込む２つの突起３０１ａ，３０１ｂと、開口２６５の左右側面から開口２６５内に突出した２つの突起部２６７ａ，２６７ｂに係合する２つの突起爪３０２ａ，３０２ｂと、開口２６５の後端側において開口２６５の左右の側面から突出した２つの突起部２６８ａ，２６８ｂに係合する２つの係合爪３０３ａ，３０３ｂを有する。また、この蓋部材２６１の後部側にはネジ止め用の孔３０４が設けられている。この蓋部材２６１は、２つの突起３０１ａ，３０１ｂ、２つの突起爪３０２ａ，３０２ｂ、および２つの係合爪３０３ａ，３０３ｂをそれぞれ係合させて、さらにネジ止め用の孔３０４を使ってネジ止めすることにより、図１９に示すように開口が塞がれた状態となる。
［ＰＣカードスロット］
図３２は、ＰＣカードスロットを示す斜視図、図３３は、図３２にも示すＰＣカードスロットを、図６に示す２つの蓋部材のうちの下向きに開く蓋部材を開けて示す斜視図である。
【００９８】
ここに示すＰＣカードスロット２８０は、図１に示すノートＰＣ１０の本体ユニット２０を構成する筐体内の、その本体ユニット２０の左側の側面に設けられたＰＣカード挿入口２１６（図６参照）の直ぐ内側に、そのＰＣカード挿入口２１６と向き合う向きに配置されており、そのＰＣカードスロット２１６を通って挿入されてきたＰＣカードを受け入れる金属製の枠体で構成され、上下に２枚のＰＣカードを収容する構成となっている。このＰＣカードスロット２８０の下には、このＰＣカードスロット２８０に挿入されたＰＣカードをアクセスする回路が搭載された回路基板が備えられており、その回路基板と金属製の枠体からなるＰＣカードスロット２８０との間の電気的な絶縁を確保するために、それらの回路基板とＰＣカードスロット２８０との間に絶縁シート２８１が敷かれ、その前端２８１ａは、ＰＣカード挿入口２１６（図６参照）の直ぐ内側にまで広がっている。
【００９９】
ＰＣカード挿入口２１６は、図６を参照して説明したように、上下２枚の蓋部材２１７，２１８で開放自在に閉じられており、このＰＣカード挿入口２１６にＰＣカードが挿入されると、そのＰＣカードの先端が蓋部材２１７，２１８に当たり、上側の蓋部材２１７に当たるとその蓋部材２１７は上縁２１７ａを中心に上に持ち上がるように回動し、下側の蓋部材２１８に当たるとその蓋部材２１８はその下縁２１８ａを中心に下に倒れるように回動して、ＰＣカード挿入口２１６からＰＣカードが受け入れられる。
【０１００】
図３３は、ＰＣカード挿入口２１６を塞ぐ上下２枚の蓋部材のうちの下側の蓋部材２１８が開いた様子を示している。この蓋部材２１８は、開いた状態では、絶縁シート２８１の前端２８１ａを覆い、このため、このＰＣカード挿入口２１６から挿入されてきたＰＣカードはその絶縁シート２８１の前端２８１ａに当たることが防止され、その絶縁シート２８１のめくれが防止される。
【０１０１】
図３４は、本実施形態のノートＰＣのＰＣカードスロット（Ａ）と、従来のＰＣカードスロット（Ｂ）とを比較して示す図である。
【０１０２】
従来のＰＣカードスロット（Ｂ）の場合、絶縁シート２８１の前端部は両面テープでその下の回路基板に貼着されている。回路基板の前端は絶縁シート２８１の前端２８１ａと同一である。しかしながら、ＰＣカードが少し斜め下向きに挿入されると、ＰＣカードの前端面が絶縁シート２８１の前端２８１ａに当たり、それが何度か繰り返し生じると絶縁シート２８１がめくれ上がり、ＰＣカード前端でその下の回路基板が傷つけられ、動作不良となるおそれがある。
【０１０３】
そこで、本実施形態のノートＰＣでは、回路基板はむしろ短かめ（図３４（Ａ）に示す一点鎖線の位置まで）とし、絶縁シート２８１をＰＣカード挿入口２１６（図６参照）にさらに近ずく位置まで広げている。こうすることにより、図３２に示すように絶縁シート２８１の前端２８１ａは下向きに開いた蓋部材２１８に覆われ、絶縁シート２８１を回路基板に貼着する必要もなく絶縁シート２８１のめくれが防止され、回路基板の損傷も防止される。また、絶縁シート２８１を回路基板に貼着する必要がないため組立工数も削減される。
［ディスクドライブユニット装着部の構造］
図３５は、ノートＰＣの本体ユニットの筐体のうちの上カバーを取り外して示したディスクドライブユニットの斜視図である。
【０１０４】
このディスクドライブユニット２２０は、図７に示すように、ノートＰＣ１０の本体ユニット２０の、左側の側面の開口から挿入されて、その本体ユニット２０の筐体内に配置されたものである。
【０１０５】
図３６は、本体ユニット筐体の、ディスクドライブユニットが挿入されるディスクドライブユニット収容部を示した図、図３７は、そのディスクドライブユニット収容部の一方の側端部を示した図、図３８は、そのディスクドライブユニット収容部のもう一方の側端部を示した図である。
【０１０６】
ディスクドライブユニット２２０は、ディスクドライブユニット収容部３１０に収容される際は、両側部のレール３１１，３１２に案内されながら、ディスクドライブユニット２２０に設けられたコネクタ（図示せず）が装置側のコネクタ３１３と結合する位置まで挿入される。この正規の位置まで挿入されると、ディスクドライブユニット２２０の表面は、図７に示すように、ノートＰＣ１０の本体ユニット２０の筐体の表面に対し同一面となる。
【０１０７】
ここで、このディスクドライブユニット収容部３１０の両側には、それぞれメイン基板２５１（図３８参照）とサブ基板３２０（図３６参照）が配備されており、ディスクドライブユニット収容部３１０を横切って、それらの回路基版２５１，３２０を電気的に接続するためのフラットケーブル３２１が配置されている。あるいはフラットケーブル３２１に代えてフレキシブル配線基板であってもよい。このフラットケーブル３２１は、このディスクドライブユニット収容部３１０にディスクドライブユニット２２０が収容されると、そのディスクドライブユニット２２０の下に位置し、このため、何らの対策も講じなかった場合、このディスクドライブユニット収容部３１０に挿入されてきたディスクドライブユニット２２０にフラットケーブル３２１が引っ掛かり断線等の事故が生じるおそれがある。そこで、ここでは、フラットケーブル３２１の下にシート３２２を敷き、さらにそのシート３２２をディスクドライブユニット２２０の挿入開口に近い側で折り返してそのフラットケーブル３２１の上にもシート３２２を配置している。このシート３２２は挿入開口から離れた側で、粘着テープ３２３で、そのディスクドライブユニット収容部３１０の床に貼着されている。
【０１０８】
ここでは、シート３２２を上記のように折り返してフラットケーブル３２１を包む込むことにより、ディスクドライブユニット２２０が挿入される際のフラットケーブル３２１の引っ掛かりが防止され、断線等の不良の発生が抑えられている。
【０１０９】
図３９は、サブ基板およびフラットケーブルを取り外して、そのサブ基板の下に敷かれたシートを示した図である。
【０１１０】
サブ基板３２０の下には、本体ユニット２０の筐体とサブ基板３２０とが電気的に接触するのを防止するための絶縁シート３２４が敷かれており、図３６、図３７に示す、フラットケーブル３２１を包むシート３２２は、その絶縁シート３２４を延長して形成したものである。ここではこのように、フラットケーブル３２１を包むシート３２２を、サブ基板３２０下の絶縁シート３２４を延長して形成することにより、部品点数の増加が防止されている。
【０１１１】
図４０は、メイン基板とサブ基板との双方を取り外して、それらの基板の下に広がる絶縁シートを示した図である。
【０１１２】
メイン基板２５１の下にも、絶縁シート３２５が敷かれており、サブ基板３２０下の絶縁シート３２４とメイン基板２５１下の絶縁シート３２５は、サブ基板３２０下の絶縁シート３２４がディスクドライブユニット収容部３１０を横切ってメイン基板２５１側に延び、その絶縁シート３２４の先端部３２４ａがメイン基板２５１下の絶縁シート３２５と若干だけ重ねられている。
【０１１３】
ここでは、このような広がりを持つ絶縁シート３２４，３２５のうちのサブ基板３２０側の絶縁シート３２４を使い、ディスクドライブユニット収容部３１０を横切るフラットケーブル３２１を包むことにより、そのディスクドライブユニット収容部３１０に挿入されてきたディスクドライブユニット２２０へのフラットケーブル３２１の引っ掛かりの防止が図られている。
【０１１４】
次に、これまで説明してきたノートＰＣの変形例について説明する。
【０１１５】
以下に説明する変形例は、以下に説明する点以外は、これまで説明してきたノートＰＣと同一である。
【０１１６】
図４１は、変形例としてのノートＰＣの本体ユニット上面のキーボードの直ぐ奥側の部分を示した拡大図である。この図４１は、前述の実施形態の図９に対応する図である。
【０１１７】
この図４１では、図１に示す蓋部材２８が嵌まり込む溝の幅Ｗ１の方が開口２３１の幅Ｗ２よりも広幅であり、かつ、蓋部材２８をこの溝に嵌め込んだときにその蓋部材２８と、本体ユニット筐体の、その開口２３１を形成する縁部分２３９ａ，２３９ｂとが重なるように、その縁部部２３９ａ，２３９ｂが溝の内側にまで張り出していて、開口２３１の幅を溝の幅よりも内側に制限している。
【０１１８】
蓋部材２８をこの溝に配置して開口２３１を塞いだとき、蓋部材２８がこれらの縁部分２３９ａ，２３９ｂと重なっているため、仮にその重なりがなかった部分に隙き間からその本体ユニット２０の機器内部に物が落ち込んでしまうおそれがあるところ、そのようなおそれが回避される。また、ファン２５０（図１０参照）から放熱フィン２４１の送風入口部分２４１ａに送り込まれてきた空気がその隙き間から洩れ出してしまうことが防止される。
【０１１９】
図４２は、図４１と同じ部分について、本体ユニットの筐体を形成している部材をさらに取り外して、放熱フィンの送風入口部分をより広く開放したところを示した図、図４３は、図４２からさらにキーボード等を取り外し、ファンからの空気の流路を示した図である。
【０１２０】
放熱部材２５０を構成する放熱フィン２４１の、送風入口部分２４１ａの両側には、送風入口部分送風案内壁２３８ａ，２３８ｂが形成されている。この送風案内壁２３８ａ，２３８ｂは、ファン２５０（図４３参照）からの送風の、放熱部材２４０の脇への洩れを防止する役割りを担っている。
【０１２１】
ここで、図４１に示す開口２３１の長さＬ１は送風入口部分２４１ａの両側の送風案内壁２３８ａ，２３８ｂどうしの間隔Ｌ２よりも短かく、開口２３１は、送風入口部分２４１ａの両側の送風案内壁２３８ａ，２３８ｂに挟まれた内側の領域にのみ形成されている。
【０１２２】
仮に、送風案内壁２３１ａ，２３１ｂが開口２３１から覗く程度に開口２３１が広いと、その開口２３１を蓋部材で覆ってもその蓋部材の裏面と送風案内壁２３１ａ，２３１ｂとの間に隙き間が生じ、ファン２５０から送風されてきた空気がその隙き間を通って筐体内部に流れてしまい、その送風と一緒に送られてきた塵埃が筐体内部に送り込まれるおそれがあり、また、風が洩れる分、空冷能力が低下するおそれがある。
【０１２３】
これに対し、この変形例では、開口２３１が送風入口部分２４１ａ両側の送風案内壁２３８ａ，２３８ｂに挟まれた内側の領域にのみ形成されるように、本体ユニット筐体の、開口２３１を形成する縁部分２３９ｃ，２３９ｄが、送風案内壁２３８ａ，２３８ｂを覆う位置まで広がっている。
【０１２４】
このため、上記のような送風の筐体内部への洩れが防止され、塵埃の送り込みや冷却能力の低下が防止される。
【０１２５】
以下、本発明の各種形態を付記する。
【０１２６】
（付記１）
発熱部品と、
前記発熱部品から熱を吸収して放熱する放熱部材と、
前記放熱部材に向けて送風するファンと、
前記発熱部品、前記放熱部材、および前記ファンを内蔵するとともに、前記放熱部材で温められた空気を外部に放出するための第１の開口、および前記放熱部材の、前記ファンからの送風入口部分を露出させる第２の開口を有する筐体と、
前記筐体に着脱自在に装着されて前記第２の開口を覆う蓋部材とを備えたことを特徴とする機器。
【０１２７】
（付記２）
前記蓋部材が、前記筐体に素手での操作で着脱されるものであることを特徴とする付記１記載の機器。
【０１２８】
（付記３）
前記第１の開口が前記筐体の一側面に形成され、前記第２の開口が該筐体の上面に形成されたものであることを特徴とする付記１記載の機器。
【０１２９】
（付記項４）
前記筐体が、前記蓋部材に覆われる部分に該蓋部材係止用の穴を有し、
前記蓋部材が、前記筐体に装着されたときに該筐体側を向く面に、前記穴に嵌入して係止される突起を有することを特徴とする付記１記載の機器。
【０１３０】
（付記５）
前記筐体が、該筐体に装着された状態の前記蓋部材の該筐体側に、該蓋部材に爪又は指先を掛けるための空間を形成する凹部を有することを特徴とする付記１記載の機器。
【０１３１】
（付記６）
前記蓋部材が、前記筐体の、前記第２の開口を形成する縁部分と重なるように、該第２の開口の幅よりも広幅に形成されていることを特徴とする付記１記載の機器。
【０１３２】
（付記７）
前記放熱部材の、前記送風入口部分両側に、前記ファンからの送風を該送風入口部分に導くとともに、該ファンからの送風の、該放熱部材の脇への洩れを防ぐ送風案内壁を有し、
前記第２の開口が前記送風入口部分両側の送風案内壁に挟まれた内側の領域にのみ形成されるように、前記筐体の、前記第２の開口を形成する縁部分が、該送風案内壁を覆う位置まで広がっていることを特徴とする付記１記載の機器。
【０１３３】
（付記８）
演算処理を行なう演算装置において、
発熱部品と、
前記発熱部品から熱を吸収して放熱する放熱部材と、
前記放熱部材に向けて送風するファンと、
前記発熱部品、前記放熱部材、および前記ファンを内蔵するとともに、入力操作用のキーが配列されたキーボードを上面に備え、前記放熱部材で温められた空気を外部に放出するための第１の開口が一側面に形成され、前記放熱部材の、前記ファンからの送風入口部分を露出させる第２の開口が上面に形成されてなる筐体と、
前記筐体に着脱自在に装着されて前記第２の開口を覆う蓋部材とを備えたことを特徴とする演算装置。
【０１３４】
（付記９）
前記第１の開口が、前記筐体の、奥を向いた側面に形成され、前記第２の開口が、前記筐体上面の、前記キーボードよりも奥の位置に形成されたものであることを特徴とする付記８記載の演算装置。
【０１３５】
（付記１０）
前記蓋部材が、前記筐体に素手での操作で着脱されるものであることを特徴とする付記８記載の演算装置。
【０１３６】
（付記１１）
前記ファンの少なくとも一部が前記キーボードの下に配置され、前記放熱部材が該キーボードよりも奥に配置されたものであり、該放熱部材上面が該ファン上面よりも高い位置に置かれたものであることを特徴とする付記１０記載の演算装置。
【０１３７】
（付記１２）
前記ファンの上面および前記放熱部材の上面に広がり、該放熱部材上面を覆う部分が該放熱部材の高さに合わせて盛り上がって形成された金属板を有し、
前記キーボードが前記金属板の上に配置されていることを特徴とする付記１１記載の演算装置。
【０１３８】
（付記１３）
前記筐体が、前記蓋部材に覆われる部分に該蓋部材係止用の穴を有し、
前記蓋部材が、前記筐体に装着されたときに該筐体側を向く面に、前記穴に嵌入して係止される突起を有することを特徴とする付記７記載の演算装置。
【０１３９】
（付記１４）
前記筐体が、該筐体に装着された状態の前記蓋部材の該筐体側に、該蓋部材に爪又は指先を掛けるための空間を形成する凹部を有することを特徴とする付記８記載の演算装置。
【０１４０】
（付記１５）
画像を表示する表示画面を有し前記筐体の奥側において該筐体にヒンジ接続されて該筐体に対し開閉自在な第２の筐体を備えたことを特徴とする付記８記載の演算装置。
【０１４１】
（付記１６）
前記蓋部材が、前記筐体の、前記第２の開口を形成する縁部分と重なるように、該第２の開口の幅よりも広幅に形成されていることを特徴とする付記８記載の演算装置。
【０１４２】
（付記１７）
前記放熱部材の、前記送風入口部分両側に、前記ファンからの送風を該送風入口部分に導くとともに、該ファンからの送風の、該放熱部材の脇への洩れを防ぐ送風案内壁を有し、
前記第２の開口が前記送風入口部分両側の送風案内壁に挟まれた内側の領域にのみ形成されるように、前記筐体の、前記第２の開口を形成する縁部分が、該送風案内壁を覆う位置まで広がっていることを特徴とする付記８記載の演算装置。
【図面の簡単な説明】
【０１４３】
【図１】閉状態にあるノートＰＣの斜視図である。
【図２】閉状態にあるノートＰＣを前方斜めから見た斜視図である。
【図３】閉状態にあるノートＰＣを後方斜めから見た斜視図である。
【図４】図１〜図３に示すノートＰＣの、閉状態における手前側の側面を示した図である。
【図５】図１〜図３に示すノートＰＣの、閉状態における奥側の側面を示した図である。
【図６】図１〜図３に示すノートＰＣの、閉状態における右側の側面を示す図である。
【図７】図１〜図３に示すノートＰＣの、閉状態の左側の側面を示す図である。
【図８】ノートＰＣの本体ユニットの上面を、蓋部材を外して示した図である。
【図９】本体ユニット上面のキーボードの直ぐ奥側を示した拡大図である。
【図１０】本体ユニットの筐体の上カバーおよびキーボードを取り外して、ファンおよび放熱部材の部分を示した図である。
【図１１】図１０と同一の状態の本体ユニットの放熱部材の部分を図１０とは角度を変えて示した図である。
【図１２】金属板を取り外し、ファンと放熱部材の平面的な位置関係を示した図である。
【図１３】放熱部材の平面図である。
【図１４】放熱部材の斜視図である。
【図１５】メイン基板上の発熱部品を示した図である。
【図１６】ＣＰＵおよびチップセットからなる２つの発熱部品と、それらの発熱部品の上に接触する放熱部材の下面を示した図である。
【図１７】図１５、図１６に示す例と比べＣＰＵとチップセットの配置が異なる別のメイン基板を示す図である。
【図１８】図１７に示す種類のノートＰＣにおける、ＣＰＵとチップセットからなる２つの発熱部品と、それらの発熱部品の上に接触する放熱部材の下面を示した図である。
【図１９】ノートＰＣの本体ユニットの底面を示した斜視図である。
【図２０】図１９に示すノートＰＣの本体ユニットの底面を、ハードディスクドライブユニット装着用の開口を塞ぐ蓋部材を取り外して示した図である。
【図２１】ハードディスクドライブユニットを収容する開口、およびその開口内に収容されたハードディスクドライブユニットを示す拡大図である。
【図２２】ハードディスクドライブユニットを１つの角度から見て示す図である。
【図２３】ハードディスクドライブユニットを別の角度から見て示す図である。
【図２４】ハードディスクドライブユニットをさらに別の角度から見て示す図である。
【図２５】ハードディスクドライブユニットに備えられたユニット側コネクタの斜視図である。
【図２６】ハードディスクドライブユニットに備えられたユニット側コネクタと結合する装置側コネクタを示す図である。
【図２７】ハードディスクドライブユニットが収容される開口の一方の側面を示した斜視図である。
【図２８】ハードディスクドライブユニットを開口に収容しようとしてそのハードディスクドライブを開口内に正しく配置した状態を示した図である。
【図２９】ハードディスクドライブユニットを開口に収容しようとしてそのハードディスクドライブを開口内に正しく配置した状態を示したである。
【図３０】ハードディスクドライブユニットの後ろが持ち上がった状態で開口に配置された様子を示す図である。
【図３１】ハードディスクドライブユニットが収容される開口を塞ぐ蓋部材の裏面を示す図である。
【図３２】ＰＣカードスロットを示す斜視図である。
【図３３】図３１にも示すＰＣカードスロットを、図６に示す２つの蓋部材のうちの下向きに開く蓋部材を開けて示す斜視図である。
【図３４】本実施形態のノートＰＣのＰＣカードスロット（Ａ）と、従来のＰＣカードスロット（Ｂ）とを比較して示す図である。
【図３５】ノートＰＣの本体ユニットの筐体のうちの上カバーを取り外して示したディスクドライブユニットの斜視図である。
【図３６】本体ユニット筐体の、ディスクドライブユニットが挿入されるディスクドライブユニット収容部を示した図である。
【図３７】ディスクドライブユニット収容部の一方の側端部を示した図である。
【図３８】ディスクドライブユニット収容部のもう一方の側端部を示した図である。
【図３９】サブ基板およびフラットケーブルを取り外して、そのサブ基板の下に敷かれたシートを示した図である。
【図４０】メイン基板とサブ基板との双方を取り外して、それらの基板の下に広がる絶縁シートを示した図である。
【図４１】変形例としてのノートＰＣの本体ユニット上面のキーボードの直ぐ奥側の部分を示した拡大図である。
【図４２】図４１と同じ部分について、本体ユニットの筐体を形成している部材をさらに取り外して、放熱フィンの送風入口部分をより広く開放したところを示した図である。
【図４３】図４２からさらにキーボード等を取り外し、ファンからの空気の流路を示した図である。
【符号の説明】
【０１４４】
１０    ノートＰＣ
２０    本体ユニット
２１    キーボード
２２ａ，２２ｂ    押ボタン
２３    指紋センサ
２４    電源ボタン
２５    表示ランプ
２６    ファンクションボタン
２７    穴
２８    蓋部材
３０    表示ユニット
３１    ロック爪
３２    ロック解除ボタン
３３    表示画面
４０    ヒンジ機構
２０７    排気口
２１７，２１８    蓋部材
２２０    ディスクドライブユニット
２２１    イジェクトボタン
２３１    開口
２３２，２３３，２３４，２３５，２３６    穴
２３７    凹部
２３８ａ，２３８ｂ    送風案内壁
２３９ａ，２３９ｂ，２３９ｃ，２３９ｄ    筐体の縁部分
２４０    放熱部材
２４１    放熱フィン
２４１ａ    送風入口部分
２４２    ベース板
２８１，２８２，２８３，２８４，２８５    爪    
２４３    アーム板
２４３ａ，２４３ｂ    締結部
２４３ｃ    凸の段差を持つ部分
２４４  アーム板
２４４ａ，２４４ｂ    締結部
２４５    固定板
２５０    ファン
２５１    メイン基板
２５２    金属板
２５２ａ    上面の覆う部分
２５４ａ，２５４ｂ    チップセット
２６１    蓋部材
２６５    開口
２６６ａ，２６６ｂ    突起部
２６９    装置側コネクタ
２６９ａ    ピン挿入口
２７０    ハードディスクドライブユニット
２７１    シート
２７２    枠体
２７２ａ，２７２ｂ    干渉部  ２７３
２７３ａ    接続ピン
２８０    ＰＣカードスロット
２８１    爪
２８１ａ    前端
３１０    ディスクドライブユニット収容部
３１１，３１２    レール
３１３    コネクタ
３２０    サブ基板
３２１    フラットケーブル
３２２    シート
３２３    粘着テープ
３２４    アーム板
３２５    絶縁シート
【図１】
2008072076.tif 000003
【図２】
2008072076.tif 000004
【図３】
2008072076.tif 000005
【図４】
2008072076.tif 000006
【図５】
2008072076.tif 000007
【図６】
2008072076.tif 000008
【図７】
2008072076.tif 000009
【図８】
2008072076.tif 000010
【図９】
2008072076.tif 000011
【図１０】
2008072076.tif 000012
【図１１】
2008072076.tif 000013
【図１２】
2008072076.tif 000014
【図１３】
2008072076.tif 000015
【図１４】
2008072076.tif 000016
【図１５】
2008072076.tif 000017
【図１６】
2008072076.tif 000018
【図１７】
2008072076.tif 000019
【図１８】
2008072076.tif 000020
【図１９】
2008072076.tif 000021
【図２０】
2008072076.tif 000022
【図２１】
2008072076.tif 000023
【図２２】
2008072076.tif 000024
【図２３】
2008072076.tif 000025
【図２４】
2008072076.tif 000026
【図２５】
2008072076.tif 000027
【図２６】
2008072076.tif 000028
【図２７】
2008072076.tif 000029
【図２８】
2008072076.tif 000030
【図２９】
2008072076.tif 000031
【図３０】
2008072076.tif 000032
【図３１】
2008072076.tif 000033
【図３２】
2008072076.tif 000034
【図３３】
2008072076.tif 000035
【図３４】
2008072076.tif 000036
【図３５】
2008072076.tif 000037
【図３６】
2008072076.tif 000038
【図３７】
2008072076.tif 000039
【図３８】
2008072076.tif 000040
【図３９】
2008072076.tif 000041
【図４０】
2008072076.tif 000042
【図４１】
2008072076.tif 000043
【図４２】
2008072076.tif 000044
【図４３】
2008072076.tif 000045